(57)【要約】      （修正有）【課題】取り出しが容易で、デザイン的にも優れた古紙結束補助収納器を提供する。【解決手段】新聞等の古紙を収納して結束するための収納器の内側に、古紙の収納位置を規制して余裕スペースを確保するための部材を設けることによって、より引き締まった結束を可能にするとともに、側部や底部の開放なしに簡単容易に古紙の集積を取り出せるようにした。【選択図】図５
2010018342.tif 000002
【特許請求の範囲】
【請求項１】
新聞等の古紙を収納して結束するための古紙結束補助収納器において、古紙の収納位置を規制するとともに、古紙と収納器の側部内周面との間に余裕スペースを確保するための部材を、着脱自在に設けたことを特徴とする、古紙結束補助収納器。
【請求項２】
上面が開口した中空直方体形状の箱体の要所に結束紐を着脱するための切り込みないし切り欠きが施された古紙結束補助収納器であって、内側の一コーナーにおいて、古紙の収納位置を規制すべく、Ｌ型柱状の位置規制部材を設けることによって、古紙と収納器本体の側部内周面との間に余裕スペースが確保されるように構成されていることを特徴とする、古紙結束補助収納器。
【請求項３】
新聞等の古紙を収納したままで結束して取り出すための収納器の内側に、古紙の収納位置を規制して古紙と収納器の側部内周面との間に余裕スペースを確保するための部材を設置し、古紙を積載して結束した後に、該部材を取り外してから結束した古紙を取り出す方法。
【発明の詳細な説明】
【技術分野】
【０００１】  この発明は、新聞や書籍雑誌、小冊子、広告紙、コピー用紙、紙パック等々の古紙を収納したままで結束して取り出すための古紙結束補助収納器に関する。
【背景技術】
【０００２】  従来より、新聞ストッカーなど、古紙等を収納したままで結束して取り出すための収納器具やラックが知られている。
【発明の開示】
【発明が解決しようとする課題】
【０００３】  それらには、次のような欠点があった。
（イ）  結束が非常にルーズになった。
（ロ）  古紙の集積と収納器の側部内面との間の摩擦抵抗が強くて取り出しが困難であった。
さもなければ、
（ハ）  古紙の集積を取り出すために大きなきり欠きを設けたり、側部や底部を開放する必要があって、そのための構造と手間や作業が煩瑣であった。また、デザイン的にも、居室に置くには少々難があった。
本発明はこれらの欠点を解消するためになされた。
【課題を解決するための手段】
【０００４】  収納器の内側に、古紙の収納位置を規制して収納器本体の内周面との間に余裕スペースを確保するための部材を設ける。
本発明は、以上のような構成を特徴とする古紙結束補助収納器である。
【発明の効果】
【０００５】  前記構成で古紙の収納位置が規制されることによって、収納器の内側で古紙がバラつくことなく整然と積載されるため、よりひきしまった結束が可能になる。また、収納位置規制部材を取り外すことによって、古紙の集積と収納器の内周面との間の空間が広がるため、摩擦抵抗が著しく減少して、簡単容易に古紙の集積を取り出すことができる。したがって、収納器の側部や底部を開閉するための構造と手間や作業の必要がなくなりまた、広範囲に切り欠きを設ける必要もないのでデザインの可能性が広がる。
【実施の形態】
【０００６】  つぎに、本発明の実施形態について、図面にもとづいて説明する。
【０００７】  図１ａは、本発明の第１実施形態である古紙結束補助収納器の全体斜視図である。上面が開口した中空直方体形状の本体１の内側の一角に直角三角柱状の収納位置規制部材２が設けられ、各側壁の上部に紐留め用切り込み３Ａ  ３Ｂ  ３Ｃ  ３Ｄ、下部に同切り欠き４Ａ  ４Ｂ  ４Ｃ  ４Ｄが施されている。各切り込みと切り欠きは、該直角三角形の辺５Ａ  ５Ｂの其々の長さの約４分の１程、収納器の各側面中央より反対側にずれた位置にある。図１ｂは前記規制部材の斜視図、図１ｃは下部切り欠きの拡大正面図。
【０００８】  以下は、前記古紙結束補助収納器において、一本の紐で比較的一般的な結束をする場合の使用法である。
イ  紐６を紐留め３Ａ  ３Ｂ  ３Ｃ  ４Ｄ  ４Ａ  ４Ｂ  ４Ｃ  ４Ｄに挟みながら配置し、収納位置規制部材２を設置する。図２ａは紐の配置例を示す斜視図である。
図２ｂは紐を配置した状態の平面図である。図２ｃは、下部切り欠きに紐６を挟んだ状態を示す拡大正面図である。
ロ  古紙を随時積み入れる。図２ｄは、配置した紐６の上にほぼＡ４サイズに折りたたんだ新聞７を載置した状態の平面図である。
ハ  満載になったら、紐を各紐留め３Ａ  ３Ｂ  ３Ｃ  ３Ｄ  ４Ａ  ４Ｂ  ４Ｃ  ４Ｄから外す。
ニ  図３ａのように、四方の紐を古紙の集積８の上面中央に引き寄せ、側壁の外周面に廻してあった紐６Ａに紐の片方の先端６Ｂをくぐらせて引っ張りながら結束する。
ホ  収納位置規制部材２を引き抜くようにして取り外してから、結束した古紙の集積９を取り出す。図３ｂは該規制部材を取り外した状態の平面図である。
ヘ  再び紐を配置し、規制部材２を設置して、古紙を随時積み入れる。
【０００９】  図４ａは、本発明の第２実施形態である古紙結束補助収納器の平面図である。上面が開口した中空直方体形状の本体１１の内周面１０に接して四角柱状の収納位置規制部材１２が着脱自在に設けられ、各側壁に切り込み１３Ａ  １３Ｂ  １３Ｃ  １３Ｄが施されている。図４ｂは、予め配置した紐１４の上に雑誌１５を載置した状態の平面図。
【００１０】  図５ａは、本発明の第３実施形態である古紙結束補助収納器の全体斜視図である。上面が開口した中空直方体形状の本体１６の内側の一コーナーに、Ｌ型柱状の収納位置規制部材１７が着脱自在に設けられ、各側壁の上部に切り込み１８Ａ  １８Ｂ  １８Ｃ  １８Ｄ下部に同切り欠き１９Ａ  １９Ｂ  １９Ｃ  １９Ｄが施されている。図５ｂは、予め配置した紐２０の上にＡ４サイズの紙片２１を載置した状態の平面図である。
【００１１】  図６ａは、本発明の第４実施形態である古紙結束補助収納器の平面図である。上面が開口した中空直方体形状の本体２２の内側の一コーナーに平行して、Ｌ型アングル状の収納位置規制部材２３が設けられ、各側壁に切り込み２４Ａ  ２４Ｂ  ２４Ｃ  ２４Ｄが施されている。本実施形態における着脱自在の規制部材は、本体の底板に施された凹部に位置規制部材下端の凸部２５Ａ  ２５Ｂを嵌め込む形態だが、さらに、該部材壁面に対して直角に屈曲する底部２６で支えてもよい。図６ｂは、該規制部材の斜視図。
【００１２】  第２、第３、第４実施形態における各切り込みと切り欠きは、収納位置規制部材による規制線と本体内周面との間の最短距離の約半分ほど、収納器の各側面中央部分より反対側にずれた位置にある。
【００１３】  図７ａは、本発明の第５実施形態である古紙結束補助収納器の斜視図。上面が開口した中空直方体構造で側壁がテーパ状の本体２７の内側の相対するコーナーに接して、外周面を本体側壁のテーパ状に適合させて内周面を直立させた収納位置規制部材２８Ａ  ２８Ｂが設けられ、本体の各側壁上部中央に切り込み２９Ａ  ２９Ｂ  ２９Ｃ  ２９Ｄ下部に切り欠き３０Ａ  ３０Ｂ  ３０Ｃ  ３０Ｄが施されている。図７ｂはその平面図
【００１４】  図８ａは、本発明の第６実施形態である古紙結束補助収納器の平面図。上面が開口した中空直方体構造で側壁がテーパ状の本体３１の内側に、Ｌ型アングル状の収納位置規制部材３２Ａ  ３２Ｂが設けられ、本体の各側壁上部に切り込み  ３３Ａ  ３３Ｂ  ３３Ｃ  ３３Ｄ、下部に切り欠き３４Ａ  ３４Ｂ  ３４Ｃ  ３４Ｄが施されている。本実施形態における着脱自在の位置規制部材３２Ｂは第４実施形態における規制部材と同型である。本体底板の凹部３５は二種類の紙片の大きさに対応できるようになっている図８ｂは予め配置した紐３６の上に展開した紙パック３７を載置した状態の平面図。
【００１５】  図９ａは、本発明の第７実施形態である古紙結束補助収納器の平面図。上面が開口した中空直方体形状の本体３８の内側の相対するコーナーにＬ型柱状の収納位置規制部材３９Ａ  ３９Ｂが設けられ、本体の各側壁中央に紐留めが施されている。図９ｂは、予め配置した紐４０の上にほぼＡ４サイズに折り畳んだ新聞４１を載置した状態の平面図
【００１６】  図１０ａは、本発明の第８実施形態である古紙結束補助収納器の全体斜視図。上面が開口した中空直方体形状の本体４２の内側に、紐留め用切り込み４３Ａ  ４３Ｂ  ４４Ａ  ４４Ｂを施したコーナー枠４６と、同切り込み４５Ａ  ４５Ｂを施したＬ型柱状の収納位置規制部材４７が設けられている。図１０ｂは予め配置した紐４８の上にほぼＡ４サイズに折りたたんだ新聞４９を載置した状態の平面図である。
【００１７】  図１１ａは、本発明の第９実施形態である古紙結束補助収納器の平面図である。楕円筒状本体５０の内側に、Ｌ型アングル状の収納位置規制部材５１Ａ  ５１Ｂで相対するコーナーが形成され、本体の各側壁に紐留め５２Ａ  ５２Ｂ  ５２Ｃ  ５２Ｄが施されている。本実施形態における着脱自在の収納位置規制部材５１Ｂは、第４実施形態における型と同型である。図１１ｂは予め配置された紐５３の上にＡ４サイズの紙片５４を載置した状態の平面図である。
【００１８】  前記実施形態では本体の形状が楕円筒だが、他の形状でも、第４実施形態における収納位置規制部材と同型の部材を以て相対するコーナーを形成し、収納位置を規制することによって、目的とする機能が可能になることは云うまでもない。要は、古紙の収納位置を規制する部材を設けることによって、結束した古紙の集積を取り出すのに十分な隙間が確保されればよいのである。
【００１９】  第１、第２、第３、第７実施形態における収納位置規制部材は、自体で直立可能だがフラップを設けて本体に引っ掛けてもよいし、フック等の留め具を施して留めてもよい
あるいは、側部上端を本体の側壁上端とともにクリップ等で挾んでもよい。この装着法は第５実施形態における着脱自在の収納位置規制部材に応用することができる。
【００２０】  以上、上部紐留めは、切り込みせずにクリップ等で留めるだけでもよい。
材料は、剛性の樹脂、木、スチール、厚紙、段ボール紙、繊維ボード等いずれでもよい
竹や籐、布材等は本体としては可能だが、規制部材としては適当でない。
【００２１】  第１０実施形態：図１２ａは、古紙を収納した後に紐を廻して結束するための古紙結束補助収納器の一例であり、第３実施形態における収納位置規制部材と同型の部材５５を設けた例の斜視図である。古紙の集積に紐を廻すための切欠き５６Ａ  ５６Ｂ  ５６Ｃ  ５６Ｄは、収納位置規制部材の奥行巾の約半分程、収納器の各側面中央より反対側にずれた位置にある。本実施形態における材料は、剛性の樹脂、木材、スチール等が適当である。図１２ｂはその平面図である。
【００２２】  云うまでもなく、以上は本発明にかかわる最もシンプルな実施形態であって、紐のガイド溝や紐ケース等を付属させてもよく、収納器本体の形状とともに、収納位置規制部材の形状についても、様々なバリエーションがあり、それらの組合せが多様に可能である。また、同一の本体で収納位置規制部材を換えることによって、異なる紙片や雑誌の大きさないし形体に対応させることもできる。
【図面の簡単な説明】
【００２３】
【図１】ａ本発明の第一実施形態である古紙結束補助収納器の全体斜視図  ｂ取り外した収納位置規制部材の斜視図  ｃ下部切り欠きの拡大正面図
【図２】ａ〜ｄ第一実施形態における紐の配置例説明図
【図３】ａ〜ｂ  同使用説明図
【図４】ａ本発明の第二実施形態である古紙結束補助収納器の平面図  ｂ予め配置した紐の上に雑誌を載置した状態の平面図
【図５】ａ本発明の第三実施形態である古紙結束補助収納器全体斜視図  ｂ予め配置した紐の上にＡ４サイズ紙片を載置した状態の平面図
【図６】ａ本発明の第四実施形態である古紙結束補助収納器平面図  ｂ収納位置規制部材の斜視図
【図７】ａ本発明の第五実施形態である古紙結束補助収納器の全体斜視図  ｂ同平面図
【図８】ａ本発明の第六実施形態である古紙結束補助収納器の全体斜視図  ｂ予め配置した紐の上に展開した紙パックを載置した状態の平面図
【図９】ａ本発明の第七実施形態である古紙結束補助収納器の平面図  ｂ予め配置した紐の上に折りたたんだ新聞を載置した状態の平面図
【図１０】ａ本発明の第八実施形態である古紙結束補助収納器の全体斜視図  ｂ予め配置した紐の上に折りたたんだ新聞を載置した状態の平面図
【図１１】ａ本発明の第九実施形態である古紙結束補助収納器の平面図  ｂ予め配置した紐の上にＡ４サイズの紙片を載置した状態の平面図
【図１２】ａ本発明の第十実施形態である古紙結束補助収納器の全体斜視図  ｂ同平面図
【符号の説明】
【００２４】１、１１、１６、２２、２７、３１、３８、４２、５０  収納器本体
２、１２、１７、２３、２８、３２、３９、５１、５５  収納位置規制部材
３、１３、１８、２４、２９、３３、４５、５２  上部切り込み
４、１９、３０、３４  下部切り欠き    ５  直角三角形の辺
６  紐    ６Ａ  外周壁に廻してあった部分の紐    ６Ｂ  紐の先端部分
７、４１、４９  折りたたんだ新聞    ８  古紙の集積    ９  結束した古紙の集積
１０  収納器の内周面    １４、２０、３６、４０、４８、５３  予め配置した紐
１５  雑誌    ２１、５４  Ａ４サイズ紙片    ３７  展開した紙パック
２５  Ｌ型アングル状収納位置規制部材を底板に嵌め込むための凸部    ２６  同部材底部
３５  Ｌ型アングル状収納位置規制部材嵌め込み用凹部
４３  下部切り込み    ４４  上部切り込み    ４６  紐留め用切り込み付きコーナー枠
４７  紐留め用切り込み付きＬ型柱状収納位置規制部材
５６Ａ、５６Ｂ、５６Ｃ、５６Ｄ  古紙の集積に紐を廻すための切り欠き
【図１】
2010018342.tif 000003
【図２】
2010018342.tif 000004
【図３】
2010018342.tif 000005
【図４】
2010018342.tif 000006
【図５】
2010018342.tif 000007
【図６】
2010018342.tif 000008
【図７】
2010018342.tif 000009
【図８】
2010018342.tif 000010
【図９】
2010018342.tif 000011
【図１０】
2010018342.tif 000012
【図１１】
2010018342.tif 000013
【図１２】
2010018342.tif 000014
【手続補正書】
【提出日】平成21年9月14日(2009.9.14)
【手続補正１】
【補正対象書類名】特許請求の範囲
【補正対象項目名】全文
【補正方法】変更
【補正の内容】
【特許請求の範囲】
【請求項１】
新聞等の古紙を収納したままで結束して取り出すための古紙結束補助収納器であって、底部と該底部を囲んで上方に延在する側部を有する収納部の内部において、古紙の収納位置を規制するとともに、該収納部の側部内周面との間に、結束した古紙の集積を容易に取り出すのに必要、十分な余裕スペースを確保するための部材を一本、着脱自在に設けたことを特徴とする、古紙結束補助収納器。
【請求項２】
新聞等の古紙を収納したままで結束して取り出すための古紙結束補助収納器であって、上面が開口した中空直方体の箱の内側一コーナーに、古紙の収納位置を規制するためのＬ型柱状の部材が一本設置され、古紙を積載結束した後に、該部材を取り外すことによって、古紙と該箱の側壁内面との間に、結束した古紙の集積を容易に取り出すのに必要、十分な余裕スペースを確保できるように構成されていることを特徴とする、古紙結束補助収納器
【請求項３】
新聞等の古紙を収納容器に収納したままで結束して取り出す際に、古紙の収納位置を規制するとともに、予め、結束した古紙の集積を容易に取り出すのに必要、十分な余裕スペースを確保するための部材を一本、該容器内に設置し、積載した古紙を一本の紐等で十字縛りに結束した後に、該部材を引き抜くようにして取り外し、側部の摩擦抵抗を減らすことによって、結束した古紙の集積を容易に取り出すことを特徴とする荷作りの方法
【手続補正２】
【補正対象書類名】明細書
【補正対象項目名】０００３
【補正方法】変更
【補正の内容】
【０００３】  それらには、次のような欠点があった。
（イ）  結束が非常にルーズになった。
（ロ）  古紙の集積と収納容器の側部内周面との間の摩擦抵抗が強くて取り出しが困難で        あった。
さもなければ、
（ハ）  古紙の集積を取り出し易くするために、広範囲に切り欠きを設けるか、あるいは        側部や底部を開放する必要があって、そのための構造と手間ないし作業が煩瑣で        デザインや材料が制限される原因になった。
本発明はこれらの欠点を解消するためになされた。
【手続補正３】
【補正対象書類名】明細書
【補正対象項目名】０００４
【補正方法】変更
【補正の内容】
【０００４】  収納容器の内部において、古紙の収納位置を規制するとともに、古紙と収納容器本体の側部内周面との間に余裕スペースを確保するための部材を設置し、古紙を積載結束した後に、該部材を取り外すことによって、中身を容易に取り出せるようにする。
本発明は、以上のような構成を特徴とする古紙結束補助収納器と荷造りの方法である。